(57)【要約】      （修正有）【課題】輸送パイプ内に餌が残留したり詰まったりすることがない、給餌やメンテナンスが容易な給餌装置を提供する。【解決手段】餌収容タンク１１０の底部１１１に案内パイプ１１２を介して垂直姿勢の輸送パイプ１２０を接続し、輸送パイプ１２０の下端に餌１の落下口１０４を形成し、輸送パイプ１２０の内部に上下に螺旋状に延びる案内羽根１３２を備える羽根式コンベア１３０を設け、落下口１０４の直下に落下した餌１を飛散させる可動式インペラ１４０を回転可能に取り付け、羽根式コンベア１３０と可動式インペラ１４０を１つの駆動用モータ１５０で駆動可能に接続する。【選択図】図２
0003190942.tif 000002
【実用新案登録請求の範囲】
【請求項１】
餌収容タンクの底部に案内パイプを介して垂直姿勢の輸送パイプが接続され、
当該輸送パイプの下端に餌の落下口が形成され、
前記輸送パイプの内部に上下に螺旋状に延びる案内羽根を備える羽根式コンベアが設られ、
前記落下口の直下に、落下した餌を周囲に飛散させる可動式インペラが回転可能に取り付けられ、
前記羽根式コンベアと前記可動式インペラが１つの駆動用モータで駆動可能に接続されている
ことを特徴とする給餌装置。
【請求項２】
前記可動式インペラが、落下する餌を中央に受けるとともに餌をさらに落下させる複数の切欠部が周辺部に形成された回転板を備え、回転板に対する取付角度を調整可能で、回転板上に落下した餌の飛散方向および／または飛散量を調整可能な複数枚の調整羽根が前記切欠部の位置に対応して設けられていることを特徴とする請求項１記載の給餌装置。
【請求項３】
前記羽根式コンベアの回転軸が前記駆動用モータの出力軸と減速機構を介して接続され、前記可動式インペラの回転軸が前記羽根式コンベアの回転軸の内部を上下に通り、前記駆動用モータの出力軸と接続されていることを特徴とする請求項１または請求項２記載の給餌装置。
【請求項４】
輸送パイプおよび／または案内パイプに振動機構が取り付けられていることを特徴とする請求項１ないし請求項３のいずれか一項に記載の給餌装置。
【考案の詳細な説明】
【技術分野】
【０００１】
本考案は、養殖魚等にペレット状の餌を給餌するための給餌装置に関するものである。
【背景技術】
【０００２】
従来、ブリ、ハマチ等の養殖魚に餌を給餌するための給餌装置として、餌収納タンクの底部に水平な輸送パイプを連結すると共に、輸送パイプの先端に落下口を形成し、前記輸送パイプの内部に輸送方向に沿ってコイル状のバネ式コンベアを設け、バネ式コンベアにこれを回転させる輸送量調節モータを接続し、前記落下口の直下に飛散用インペラを回動可能に取り付け、飛散用インペラにインペラ駆動用モータを接続し、餌収納タンクから輸送パイプ内に落下した餌をバネ式コンベアによって搬送して、輸送パイプの落下口から落下し、飛散用インペラによって撒き散らせるようにした給餌装置が提案されている（特許文献１）。
【先行技術文献】
【特許文献】
【０００３】
【特許文献１】実開平７−１３１４１号公報
【考案の概要】
【考案が解決しようとする課題】
【０００４】
しかしながら、上記提案の給餌装置は、水平な輸送パイプ内に設けたコイル状のバネ式コンベアで餌を搬送するため、輸送パイプ内に餌が残留したり詰まったりし易いという課題があり、設定の時間に設定量の餌を給餌できないおそれがある他、装置の内部点検時に輸送パイプ内に残る餌を除去しなければならないという問題があった。特に輸送パイプ内に残留する餌は腐敗が進行し易いことから除去清掃を行う作業者の負担が大きかった。さらに、上記提案の給餌装置は、バネ式コンベア用のモータと、インペラ駆動用のモータを別々に備えており、装置が大型化すると共に、製作費用、メンテナンス費用が高価になるという課題がある。
【０００５】
本考案は上記課題に鑑みてなされたもので、輸送パイプ内に餌が残留したり詰まったりすることがなく、したがって、給餌やメンテナンスが容易な給餌装置を提供すること、また、装置の構造を簡素化できる給餌装置を提供することを目的とする。
【課題を解決するための手段】
【０００６】
上記課題を解決するために、本考案に係る給餌装置は、
餌収容タンクの底部に案内パイプを介して垂直姿勢の輸送パイプを接続し、
当該輸送パイプの下端に餌の落下口を形成し、
前記輸送パイプの内部に上下に螺旋状に延びる案内羽根を備える羽根式コンベアを設け、
前記落下口の直下に、落下した餌を周囲に飛散させる可動式インペラを回転可能に取り付け、
前記羽根式コンベアと前記可動式インペラを１つの駆動用モータで駆動可能に接続した
ことを主要な特徴とする。
【０００７】
本考案に係る給餌装置は、前記可動式インペラに、落下する餌を中央に受けるとともに餌をさらに落下させる複数の切欠部を周辺部に形成した回転板を備え、回転板に対する取付角度を調整可能で、回転板上に落下した餌の飛散方向および／または飛散量を調整可能な複数枚の調整羽根を前記切欠部の位置に対応して設けたことを第２の特徴とする。
【０００８】
本考案に係る給餌装置は、前記羽根式コンベアの回転軸を前記駆動用モータの出力軸と減速機構を介して接続し、前記可動式インペラの回転軸を前記羽根式コンベアの回転軸の内部を上下に通し、前記駆動用モータの出力軸と接続したことを第３の特徴とする。
【０００９】
本考案に係る給餌装置は、輸送パイプおよび／または案内パイプに振動機構を取り付けたことを第４の特徴とする。
【考案の効果】
【００１０】
以上説明したように、本考案に係る給餌装置によると、餌収容タンクの底部に案内パイプを介して垂直姿勢の輸送パイプを接続し、輸送パイプの内部に上下に螺旋状に延びる案内羽根を備える羽根式コンベアを設けたから、輸送パイプ内に餌が残留したり詰まったりすることがなく、したがって、給餌やメンテナンスが容易な給餌装置を実現することができるという優れた効果を奏する。
【００１１】
また、本考案に係る給餌装置によると、羽根式コンベアと可動式インペラを１つの駆動用モータで駆動可能に接続したから、装置の小型化、簡素化を図ることができ、製作費用、メンテナンス費用の低減化を図れるという優れた効果を奏する。
【図面の簡単な説明】
【００１２】
【図１】本考案の一実施形態を示すもので、給餌装置の全体構成斜視図、
【図２】図１に示す給餌装置の構造を示す一部断面図、
【図３】図１に示す給餌装置に用いられる可動式インペラの平面図、
【図４】回転板に対する調整羽根の取付構造を示す一部断面図、
【図５】調整羽根の角度調整を説明するもので、（Ａ）は調整羽根を略水平姿勢の角度に調整した状態を示す図、（Ｂ）は調整羽根を前下がりの傾斜姿勢の角度に調整した状態を示す図、
【図６】本考案の他の実施形態を示すもので、給餌装置の駆動および減速機構を示す一部断面図である。
【考案を実施するための最良の形態】
【００１３】
本考案を実施するための最良の形態につき、図１ないし図５を参照して説明する。図中、符号１はペレット状の餌、符号１００は給餌装置を示している。
【００１４】
給餌装置１００は、図１および図２に示すように、ケーシング１０１の上面にペレット状の餌１を投入する投入口１０２が設けられている。投入口１０２にはヒンジ式の上蓋１０３が設けられている。ケーシング１０１の内部で、前記投入口１０２には上面に開口するホッパー（餌収容タンク）１１０が取り付けられている。ホッパー１１０は下方に行くに従い先端が先細る形状をなし、その底部１１１には輸送用の案内パイプ１１２が連結されている。案内パイプ１１２は垂直部１１２Ａと傾斜部１１２Ｂから構成され、ホッパー１１０内の餌１を円滑に後述の輸送パイプ１２０に導くことができる。
【００１５】
ホッパー１１０の近傍には、垂直姿勢の輸送パイプ１２０が設けられている。前記案内パイプ１１２の出口は輸送パイプ１２０の側面に接続されている。輸送パイプ１２０は、ペレット状の餌１を直下の落下口１０４に向けて搬送するもので、内部に垂直方向に延びる羽根式コンベア１３０が配置されている。羽根式コンベア１３０は、垂直に延びる回転軸１３１の周囲に螺旋状に延びる案内羽根１３２を取り付けたもので、案内羽根１３２が回転することにより、餌１を直下の落下口１０４に向けて確実に搬送するようになっている。
【００１６】
落下口１０４の直下には可動式インペラ１４０が配置されている。可動式インペラ１４０は、落下口１０４から回転板１４１の中央部に落下する餌１を回転により周囲に飛散させるもので、図３および図５に示すように、回転板１４１の周辺部には放射方向に延びる複数（図示例では３個所）の落下用切欠部１４１Ａが設けられている。回転板１４１の中央には餌受け部１４１Ｂが形成され、餌受け部１４１Ｂに落下した餌１をさらに各落下用切欠部１４１Ａに向けて案内する複数（図示例では３枚）の案内板１４２が、餌受け部１４１Ｂを囲むように設けられている。
【００１７】
また、回転板１４１には餌受け部１４１Ｂに落下した餌１の飛散方向および飛散量を調整可能な調整羽根１４３が、各切欠部１４１Ａの位置に対応して設けられている。各調整羽根１４３は、図４に示すように断面逆Ｌ字形状をして、軸ピン１４３Ａを介して回転板１４１の周辺部に取り付けられており、図５（Ａ）（Ｂ）に示すように、回転板１４１に対する取付角度を変更することで、餌１の飛散方向（飛散角度）、飛散量を調整できる。また、各切欠部１４１Ａの隙間を調整することで、各切欠部１４１Ａを通過させる餌１のサイズを調整できる。
【００１８】
各調整羽根１４３はストッパー１４４により複数の取付角度（水平姿勢の角度と前下がりの傾斜姿勢の角度）に保持できる。ストッパー１４４は内蔵の弾性バネ１４４Ａにより先端の係止球１４４Ｂを調整羽根１４３の側面に設けられた複数箇所（水平姿勢用、傾斜姿勢用）の係止孔１４３Ａに係止できるようになっている。
【００１９】
上記回転板１４１は回転軸１４５の先端に水平に固定されている。図２に示すように、回転軸１４５は羽根式コンベア１３０の回転軸１３１の内部を上下に通り、輸送パイプ１２０の上方に配置された駆動モータ１５０の出力軸１５１に直結されている。駆動モータ１５０の出力軸１５１は、減速機構１６０を介して羽根式コンベア１３０の回転軸１３１と接続され、駆動モータ１５０の駆動により、可動式インペラ１４０を回転させると同時に、減速機構１６０を介して羽根式コンベア１３０を、可動式インペラ１４０の回転数よりも減速して回転させるようになっている。
【００２０】
減速機構１６０は、図２に示すように、駆動モータ１５０の出力軸１５１に固定された第１歯車１６１と、第１歯車１６１と噛み合う小径の第２歯車１６２と、第２歯車１６２に噛み合う遊星歯車機構１６３と、遊星歯車機構１６３に噛み合い羽根式コンベア１３０の回転軸１３１に固定された第３歯車１６４から構成されている。遊星歯車機構１６３は、太陽歯車１６３Ａと遊星歯車１６３Ｂと環状歯車１６３Ｂから構成され、環状歯車１６３Ｂに第３歯車１６４が噛み合っている。そして、遊星歯車機構１６３により、駆動モータ１５０からの回転数を大きく減速し、羽根式コンベア１３０をゆっくりと回転駆動させるようになっている。
【００２１】
案内パイプ１１２および輸送パイプ１２０の各側面には、振動を付与する振動装置１７０が取り付けられている。各振動装置１７０によって案内パイプ１１２および輸送パイプ１２０に振動を付与することにより、案内パイプ１１２内における餌１の落下促進、輸送パイプ１２０内における餌１の搬送促進、滞留防止を図ることができる。
【００２２】
ケーシング１０１の側面には図１に示すように扉１０４付きの収納空間１０５が設けられ、同収納空間１０５内に制御装置１８０が収納されている。制御装置１８０は、駆動モータ１５０と振動装置１７０を制御するもので、連続運転および間欠運転を含む複数の給餌プログラムモード、運転日（運転曜日）と運転時間、餌の輸送速度など、各種の設定が可能である。給餌プログラムモードは予め給餌条件を設定しておくことができる。
【００２３】
なお、ケーシング１０１内には駆動モータ１５０の電源となる小型バッテリー１８１、上蓋１０３の天面には小型バッテリー１８１に充電する太陽光発電設備１８２がそれぞれ設置されている。上記ケーシング１０１、上蓋１０３、ホッパー１２０はＦＲＰ等の軽量で錆びにくい材料から構成され、案内パイプ１１２、輸送パイプ１２０は塩ビ等の同様な材料から構成されている。
【００２４】
次に、上記構成の給餌装置１００を用いて、養魚場を例にして給餌作業を行なう方法について説明する。
【００２５】
まず、養魚場において、図示しない筏等の設置可能な場所に給餌装置１００を設置し、上蓋１０３を開けてホッパー１１０内に所定量の餌１を投入する。また、予め可動式インペラ１４０の各調整羽根１４３の角度を調整しておく。各調整羽根１４３を略水平姿勢にすると、餌１の飛散量が増加し、また、餌１の飛散範囲が拡がる。各調整羽根１４３を下向きに傾斜させると、餌１の飛散量を減らし、また、餌１の飛散範囲を狭くできる。最後に、扉１０４を開けて制御装置１８０上で給餌プログラムを設定する。あるいは予め設定しておいた給餌プログラムを選択する。
【００２６】
以上の準備が終了したら、設定されたあるいは選択された給餌プログラムに従い、駆動モータ１５０を駆動させる。駆動モータ１５０の回転は出力軸１５１から第１歯車１６１、第２歯車１６２に伝達され、遊星歯車機構１６３で減速される。最後に第３歯車１６４を介して羽根式コンベア１３０を低速で回転させる。同時に駆動モータ１５０の回転は出力軸１５１から回転軸１４５に伝達され、可動式インペラ１４０を回転させる。
【００２７】
ホッパー１１０内に投入された餌１は、案内パイプ１１２内を落下し、輸送パイプ１２０に向かうが、輸送パイプ１２０内を低速で回転する案内羽根１３２の搬送作用により、輸送パイプ１２０内を縦方向に搬送され、輸送パイプ１２０の出口から直下の可動式インペラ１４０の回転板１４１上面の餌受け部１４１Ｂに落下する。餌受け部１４１Ｂに落下した餌１は、回転する回転板１４１の遠心力作用を受けて各切欠部１４１Ａを通して周囲に飛散し水面Ｗ上に落下する。
【００２８】
このとき、餌１を広い範囲に多量飛散させたいときは、各調整羽根１４３を略水平姿勢の角度に取り付ける。また、餌１を狭い範囲で少量飛散させたいときは、各調整羽根１４３を前下がりの傾斜姿勢の角度に取り付け、各切欠部１４１Ａを通過し飛散する餌１の方向を下向きに規制し、および量を少量に調整する。このように、各調整羽根１４３の回転板１４１に対する取付角度を調整することで、餌１の飛散範囲、飛散量を給餌実情に合せて調整できる。さらに、給餌する餌１のペレットの大きさに合せて隙間を調整できる。
【００２９】
本実施形態の給餌装置１００によると、垂直な輸送パイプ１２０内に設けた螺旋状の案内羽根１３２により餌１を搬送するため、従来装置に比べると、餌１の搬送を確実に行なえ、輸送パイプ１２０内に餌が残留したり詰まったりすることがない。したがって、給餌やメンテナンスの作業を容易に行なうことができる。
【００３０】
また、輸送パイプ１２０内の羽根式コンベア１３０と落下口１０４の直下の可動式インペラ１４０を別々のモータで駆動させることなく、１つの駆動モータ１５０で回転させるため、装置を小型化、簡素化することができ、製作費用、メンテナンス費用の削減を図ることができる。
【００３１】
さらに、可変式インペラ１４０に、回転板１４１に対する取付角度を調整できる調整羽根１４３を設けたから、餌１の飛散量や飛散範囲を調整でき、したがって、養魚場の大きさ、魚の種類、数、成長度合い等の実情に応じた適切な給餌を行なうことができる。
【００３２】
なお、本実施形態では、ホッパーの底部から続く１本の案内パイプを輸送パイプに接続したが、２本の案内パイプをそれぞれ輸送パイプに接続し、あるいは１本の案内パイプを途中から分岐させて上下２箇所に接続させるようにしてもよい。いずれの場合も、多量の餌を給餌したい場合に多量の餌を輸送パイプに送り込むことができる。
【００３３】
図６は、本考案の給餌装置の他の実施形態を示すもので、駆動モータ１５０の出力軸１５１が減速機構１９０を介して羽根式コンベア１３０の回転軸１３１と接続されている。なお、出力軸１５１が可動インペラ１４０用の回転軸１４５に直結されている点は図２と同様である。
【００３４】
減速機構１９０は、駆動モータ１５０の出力軸１５１に固定された第１歯車１９１と、第１歯車１９１と噛み合う大径の第２歯車１９２と、第２歯車１９２と同軸上に一体化された歯車１９２Ａに噛み合う大径の第３歯車１９３と、第３歯車１９３と同軸上に一体化された歯車１９３Ａに噛み合うに噛み合う大径の第４歯車１９４と、第４歯車１９４と同軸上に一体化された歯車１９４Ａに噛み合いかつ羽根式コンベア１３０の回転軸１３１に固定された第５歯車１９５から構成されている。そして、減速機構１９０により、駆動モータ１５０からの回転数を大きく減速し、羽根式コンベア１３０をゆっくりと回転駆動させるようになっている。
【００３５】
かくして、本考案の給餌装置によると、輸送パイプ内に餌が残留したり詰まったりすることがなく、構造が簡易で、したがって、給餌やメンテナンスが容易な給餌装置を実現することができる。
【産業上の利用可能性】
【００３６】
本考案の給餌装置は、養殖魚等にペレット状の餌を給餌するための装置として利用可能である。
【符号の説明】
【００３７】
１  餌
１００  給餌装置
１０１  ケーシング
１０２  投入口
１０３  上蓋
１１０  ホッパー（餌収容タンク）
１１１  底部
１１２  案内パイプ
１１２Ａ  垂直部
１１２Ｂ  傾斜部
１２０  輸送パイプ
１３０  羽根式コンベア
１３１，１４５  回転軸
１３２  案内羽根
１４０  可動式インペラ
１４１  回転板
１４１Ａ  排出切欠部
１４１Ｂ  餌受け部
１４２  案内板
１４３  調整羽根
１４３Ａ  軸ピン
１４４  ストッパー
１４４Ａ  弾性バネ
１４４Ｂ  係止球
１５０  駆動モータ
１５１  出力軸
１６０，１９０  減速機構
１６１，１９１  第１歯車
１６２，１９２  第２歯車
１６３  遊星歯車機構
１６４，１９３  第３歯車
１９４  第４歯車
１９５  第５歯車
１７０  振動機構
１８０  制御装置
１８１  小型バッテリー
１８２  太陽光発電設備
Ｗ  水面
【図１】
0003190942.tif 000003
【図２】
0003190942.tif 000004
【図３】
0003190942.tif 000005
【図４】
0003190942.tif 000006
【図５】
0003190942.tif 000007
【図６】
0003190942.tif 000008